(57)【要約】      （修正有）【課題】ワイヤーを使用したブラジャーに於いて、ワイヤーによる圧迫感や、身体に付く着用跡を軽減し、且つ、補正力やデザイン性を損なわないブラジャーを提供する。【解決手段】ブラジャーの胸部に於いて、バストカップ１ａ、２ａ、台布１ｂ、２ｂを縫合したものを表側と肌側の各々一組作り、その間のバストカップ円周に、ワイヤー３とワイヤーを入れる為の筒状の布５を挟みこむ。この時、肌側には筒状の布の縫合の針目は出さず、且つ、肌側のバストカップ部分は弾力性を有する素材を用い、その形状がワイヤーを入れる筒状の布の外円周まで覆う設計となっており、その外円周、または近接した部分で表側と肌側の縫合４ａ、４ｂを施した構成とする。【選択図】図３
2006138056.tif 000002
【特許請求の範囲】
【請求項１】
ワイヤー入りのブラジャーに於いて、バストカップ布とバストカップ布周りに連結する台布が縫合されたものが、表側と肌側の各一組有り、その二組が重ね合わされ、その重なるバストカップ円周の間に半円弧状のワイヤーとワイヤーを入れる為の筒状の布が設置され、その筒状の布は肌側のバストカップ布と縫合されていないブラジャー。
【請求項２】
請求項１のブラジャーに於いて、肌側のカップ布がワイヤーを入れる為の筒状の布の外円周部まであるブラジャー。
【請求項３】
請求項１のブラジャーに於いて、表側と肌側を接続する縫合の一箇所が、バストカップ円周、又はバストカップ円周の近接した位置に施されている事を特徴としたブラジャー。
【発明の詳細な説明】
【技術分野】
【０００１】本発明は、ワイヤー入りのブラジャーにおいて、着用時のワイヤーによる圧迫感を取り除き、身体に着用の跡を減らす事を目的としたブラジャーである。
【背景技術】
【０００２】現在普及しているブラジャーの多くは、バストカップ形状をより美しく保つ為に、大きい剛性を有する半円弧状の金属製のワイヤーをバストカップの円周に設置している。【０００３】上記に述べたブラジャーに於いて、ワイヤー設置の為の多くの方法は、バストカップ円周に当たるカップ布と台布の縫合部に筒状の布を縫合によって設置し、その筒状の布の中にワイヤーを入れている。【０００４】又、上記の筒状の布の設置面は、多くの場合、肌に接触する面に設置されている。【０００５】つまり上記の構造では、剛性を有するワイヤーの圧迫を緩和させ得るものは、ワイヤーを包む筒状の布だけとなる。その為ワイヤーを入れる筒状の布は、肌当りが柔らかい素材や、筒状の中にクッション布を入れ込むなど、多種の工夫が施されている。
【発明の開示】
【発明が解決しようとする課題】
【０００６】しかし、上記のワイヤー設置法では下記に述べる問題点がある。先ず、着用時の肌当りや、違和感等を考慮すると、クッション性を高める為だけに、筒状の布に、ある程度以上の厚みを出す事は良策とは考えられず、次に、肌に密着するブラジャーの性質故に筒状の布自体の着用跡が残る。【０００７】上記の問題を解消する為には、ワイヤーを入れる筒状の布を、肌と接触しない位置に置き換える方法が考えられる。その方法として、肌に接触しない位置の選択肢の一つの中に、表側すなわち外観上に筒状の布を設置する方法がある。しかし、バストカップ布や台布など、他の素材と異質な素材の組み合わせとなる事も考えられ、外観のデザイン性において、柔軟性を損なう可能性がある。
【課題を解決するための手段】
【０００８】既存のブラジャーの多くはバストカップ部と台布は、補整力や耐久性を高める為に、二重使いとなっているものが多い。その二重使いの特性をいかし、請求項１で述べているバストカップ布、台布を表側、肌側の各々で縫合し、ワイヤー及び筒状の布がその間に挟み込まれた状態が良策と考えられる。【０００９】更にワイヤーの肌当りのクッション性を高める為に、請求項２で述べた、肌側のバストカップ布に弾力性を有する素材を用い、そのカップ円周が筒状の布の外円周と重なる形状にする。【００１０】次に、上記の筒状の布の縫合法であるが、カップ布と台布が表側、肌側各々に縫合されている間に、筒状の布を挟み込み、表側と肌側を重ねながら、カップ円周の湾曲している状態を縫合する事は、かなりの労力を伴い正確性にも欠ける。【００１１】又、肌側のバストカップに筒状の布を縫合する縫い目を入れる事は、直接筒状の布が肌に当らないとはいえ、肌に接触する縫い目を増やしてしまう事になり、その使用する糸によっては、縫合部の弾力性を減少させる可能性もある。【００１２】その解消の為には、筒状の布を表側に縫合して置き、重ね合わせる事が良策となる。【００１３】以上の理由から、ワイヤーを入れる為の筒状の布は請求項１で述べた通り、肌側には縫合せず、表側のバストカップ円周に縫合する事が望ましい。【００１４】しかし、上記の状態で表側と肌側を重ね合わせる事については、以下の困難点を存在する。バストカップ円周がワイヤーで形状保持されている表側のカップと、カップ円周がワイヤーで固定されていない肌側のカップとでは各々の形状保持率が大きく異なる為、肌側のカップが縒れ易くなり、不快感を与える可能性がある。【００１５】上記の解決法として、請求項３で述べる、重ね合わせたカップ布の円周、あるいは円周に近接した位置をカップ円周の湾曲形状を持って縫合する。この縫合により肌側のバストカップ円周もワイヤーの剛性を受ける事ができる。【００１６】以上、バストカップと台布に【０００８】、【０００９】、【００１２】、【００１３】、【００１５】で述べた性質を持ち、その左右にバックバンド布をつけ、ブラジャー上下辺に裁ち端の始末を施し、肩紐を付けたブラジャーを提供する事が解決の手段とする。
【発明の効果】
【００１７】以上の構成で作られた、サイズの合ったブラジャーを着用すると、バスト周りのワイヤー位置には、弾力性を持ったバストカップ布が肌に接触する。この為、ワイヤーの肌当りの圧迫は軽減する。【００１８】又、着用中、日常動作を行っても、肌側のバストカップはワイヤーの剛性で支えられている為縒れる事もない。更にバストの補正力も既存のワイヤーブラジャーと変わらない。【００１９】又、ワイヤーを覆う筒状の布が直接肌に当らない為、身体に筒状布の跡が付かない。【００２０】  ワイヤーの為の筒状の布は外観からは見えない為、ブラジャーのデザインの柔軟性を損なう事もない。
【実施例】
【００２１】以下、本発明の実施の形態を、図面を用い説明する。図１は本発明の実施例を表側から見た外観の斜視図であり、図２は肌側から見た斜視図であり、図３はカップの断面図である。【００２２】本実施例は、図１、図２で示す通り、バストカップ布とバストカップを支える台布、台布から左右に伸びるバック布と留め具、肩紐から構成されている。【００２３】本実施例の形状であるが、表カップ１ａ、肌側のカップ２ａは同形状であり、台布も表台布１ｂ、肌側の台布２ｂは同形状である。【００２４】素材については、表カップ１ａと表台布１ｂは非伸縮性の布を使用した。肌側のカップ２ａには、弾力性を有するウレタン素材を４ｍｍのシート状にした物の両面に布を貼ったものを使用し、肌側の台布２ｂには、縫合による正確性を損なわない為に透明性のある非伸縮性のネットを使用した。【００２５】先ず、表カップ１ａと表台布１ｂの連結箇所である４ａを縫合した後、ワイヤーを入れる為の１ｃｍ巾の筒状の布５を縫合した。この時の筒状の布５の外円周は縫合部４ａと同位置になる様、カップ内側につけ、先に縫合された表カップ１ａと表台布１ｂの４ａの縫い代はバストカップと筒状の布５の間に挟みこんだ。【００２６】次に、肌側のカップ２ａと肌側の台布２ｂの連結箇所である４ｂを縫合し、前記の縫い代は台布２ｂ側に倒して置いた。【００２７】以上の表側は筒状の布５が縫合されている側と、肌側は４ｂの箇所に縫い代が出ている側を挟み込む状態で、同位置で重ね合わせ、台布のバストカップ円周から２ｍｍ外周側に離れた位置に、カップ円周と平行になる縫い目をもって縫合した。【００２８】上記の筒状の布５に半円弧状のワイヤー３を入れ、カップ上辺６、カップ脇７、台布下辺８をずれない様に縫合し、一組となるようにした。【００２９】続いて伸縮性のあるバック布９を各々左右に縫合し、各々台布との縫合部の逆側のバック布端に留め具１０を付け、ブラジャー脇上辺１１、ブラジャー下辺１２ともに裁断端の始末の為の１０ｍｍのゴムをつけ、肩紐を付けた。
【図面の簡単な説明】
【００３０】【図１】本発明の実施例を表から見た斜視図である
【図２】本発明の実施例を肌側から見た斜視図である
【図３】本発明の実施例のカップの断面図である
【符号の説明】
【００３１】    １ａ    表バストカップ布    １ｂ    表台布    ２ａ    肌側バストカップ布    ２ｂ    肌側台布    ３      ワイヤー    ４ａ    表側のカップ布と台布の縫合位置    ４ｂ    肌側のカップ布と台布の縫合位置    ５      ワイヤーを入れる為の筒状の布    ６      カップ上辺    ７      カップ脇辺    ８      台布下辺    ９      バック布    １０    留め具    １１    ブラジャー脇上辺    １２    ブラジャー下辺
【図１】
2006138056.tif 000003
【図２】
2006138056.tif 000004
【図３】
2006138056.tif 000005